【手続補正書】
【提出日】平成20年1月4日(2008.1.4)
【手続補正１】
【補正対象書類名】特許請求の範囲
【補正対象項目名】全文
【補正方法】変更
【補正の内容】
【特許請求の範囲】
【請求項１】
（ａ）約１０〜約８０、または４０〜８０重量％の少なくとも１種類のエチレン／アルキル（メタ）アクリレートコポリマー、（ｂ）約５〜約６０、または２０〜６０、または２０〜４０重量％の少なくとも１種類のポリオレフィン、（ｃ）０〜約３５、または０．５〜３５、または１０〜２０重量％の少なくとも１種類の粘着付与樹脂、および（ｄ）０〜約３５、または５〜２０重量％のフィラーから実質的になる組成物であって、前記アルキル（メタ）アクリレート中のアルキル基が好ましくは１〜４個の炭素原子を有し、前記エチレン／アルキル（メタ）アクリレートコポリマーが好ましくは５〜３０重量％のアルキル（メタ）アクリレートから誘導された繰り返し単位を含む組成物。
【請求項２】
請求項１記載の組成物を含むか、または該組成物から製造された少なくとも１つの層と、少なくとも１つの第２の層と、任意で少なくとも１つの第３の層とを含む多層構造体であって、前記第２の層が、ホイル、紙、ポリエステル、ポリアミド、ポリオレフィン、ポリエチレンビニルアルコール、ポリエチレン酢酸ビニル、エチレン／（メタ）アクリル酸コポリマーおよびエチレン／（メタ）アクリル酸コポリマーのイオノマー、ポリ塩化ビニル、ポリ塩化ビニリデン、または無水物変性ポリオレフィンを含むか、またはホイル、紙、ポリエステル、ポリアミド、ポリオレフィン、ポリエチレンビニルアルコール、ポリエチレン酢酸ビニル、エチレン／（メタ）アクリル酸コポリマーおよびエチレン／（メタ）アクリル酸コポリマーのイオノマー、ポリ塩化ビニル、ポリ塩化ビニリデン、または無水物変性ポリオレフィンから製造され、前記第３の層が、ホイル、板紙、ガラス、高密度ポリエチレンポリプロピレン、ポリスチレンまたは耐衝撃性ポリスチレン、発泡ポリスチレン、アクリルホモポリマー、アクリルコポリマー、ポリカーボネート、ポリスルホン、アモルファスポリエチレンテレフタレート、結晶ポリエチレンテレフタレート、ＰＣＶ、ポリクロロトリフルオロエチレン、ポリアクリロニトリルホモポリマー、ポリアクリロニトリルコポリマー、ポリアセタールまたはポリアセタールコポリマーを含むか、またはホイル、板紙、ガラス、高密度ポリエチレンポリプロピレン、ポリスチレンまたは耐衝撃性ポリスチレン、発泡ポリスチレン、アクリルホモポリマー、アクリルコポリマー、ポリカーボネート、ポリスルホン、アモルファスポリエチレンテレフタレート、結晶ポリエチレンテレフタレート、ＰＣＶ、ポリクロロトリフルオロエチレン、ポリアクリロニトリルホモポリマー、ポリアクリロニトリルコポリマー、ポリアセタールまたはポリアセタールコポリマーから製造された多層構造体。
【請求項３】
パッケージまたは容器用の蓋材料としての請求項２記載の多層構造体の使用。
【請求項４】
請求項１記載の組成物または請求項２記載の多層構造体を含むか、または該組成物または該多層構造体から製造されたパッケージまたは容器。
【手続補正２】
【補正対象書類名】明細書
【補正対象項目名】０１３１
【補正方法】変更
【補正の内容】
【０１３１】
表１２
2007522276.tif 000001
次に、本発明の好ましい態様を示す。
1.（ａ）約１０〜約８０、または４０〜８０重量％の少なくとも１種類のエチレン／アルキル（メタ）アクリレートコポリマー、（ｂ）約５〜約６０、または２０〜６０、または２０〜４０重量％の少なくとも１種類のポリオレフィン、（ｃ）０〜約３５、または０．５〜３５、または１０〜２０重量％の少なくとも１種類の粘着付与樹脂、および（ｄ）０〜約３５、または５〜２０重量％のフィラーから実質的になる組成物であって、前記アルキル（メタ）アクリレート中のアルキル基が好ましくは１〜４個の炭素原子を有し、前記エチレン／アルキル（メタ）アクリレートコポリマーが好ましくは５〜３０重量％のアルキル（メタ）アクリレートから誘導された繰り返し単位を含む組成物。
2.前記アルキル（メタ）アクリレートがメチルアクリレートであり、前記エチレン／アルキル（メタ）アクリレートコポリマーが、好ましくは９〜２４重量％の前記メチルアクリレートから誘導された繰り返し単位を含む上記１に記載の組成物。
3.前記エチレン／（メタ）アクリレートコポリマーのメルトインデックスが約０．１〜約１００、または約０．５〜約５０ｇ／１０分であり、前記エチレン／（メタ）アクリレートコポリマーが２種類の異なるエチレン／メチルアクリレートコポリマーを含む上記１または２に記載の組成物。
4.前記フィラーが無機鉱物または塩、またはタルクである上記１、２または３に記載の組成物。
5.前記フィラーが、成分の前記エチレン／アルキル（メタ）アクリレート、前記ポリオレフィンおよびその両方と完全には相容しないポリマー材料、好ましくはポリスチレンである上記１〜３のいずれか一項に記載の組成物。
6.前記エチレン／アルキル（メタ）アクリレートコポリマーが、無水マレイン酸、グリシジルメタクリレート、一酸化炭素またはこれらのうち２種類以上の組み合わせから誘導された繰り返し単位を含む上記１〜５のいずれか一項に記載の組成物。
7.前記ポリオレフィンが、ポリエチレンホモポリマー、ポリプロピレンホモポリマー、エチレンを含むコポリマー、プロピレンを含むコポリマー、またはこれらのうち２種類以上の組み合わせであり、前記コポリマーは好ましくは１−ブテン、１−ヘキセン、１−オクテンまたはこれらのうち２種類以上の組み合わせを含む上記１〜６のいずれか一項に記載の組成物。
8.前記粘着付与樹脂がクマロン−インデン樹脂、テルペン樹脂、ブタジエン−スチレン樹脂、炭化水素樹脂、ロジン材料またはこれらのうち２種類以上の組み合わせであり、ポリ−リモネンから誘導できる上記１〜７のいずれか一項に記載の組成物。
9.前記エチレン／（メタ）アクリレートコポリマーが管状反応器で調製される上記１〜８のいずれか一項に記載の組成物。
10.上記１〜９のいずれか一項に記載の組成物を含むか、または該組成物から製造された少なくとも１つの層と、少なくとも１つの第２の層と、任意で少なくとも１つの第３の層とを含む多層構造体であって、前記第２の層が、ホイル、紙、ポリエステル、ポリアミド、ポリオレフィン、ポリエチレンビニルアルコール、ポリエチレン酢酸ビニル、エチレン／（メタ）アクリル酸コポリマーおよびエチレン／（メタ）アクリル酸コポリマーのイオノマー、ポリ塩化ビニル、ポリ塩化ビニリデン、または無水物変性ポリオレフィンを含むか、またはホイル、紙、ポリエステル、ポリアミド、ポリオレフィン、ポリエチレンビニルアルコール、ポリエチレン酢酸ビニル、エチレン／（メタ）アクリル酸コポリマーおよびエチレン／（メタ）アクリル酸コポリマーのイオノマー、ポリ塩化ビニル、ポリ塩化ビニリデン、または無水物変性ポリオレフィンから製造され、前記第３の層が、ホイル、板紙、ガラス、高密度ポリエチレンポリプロピレン、ポリスチレンまたは耐衝撃性ポリスチレン、発泡ポリスチレン、アクリルホモポリマー、アクリルコポリマー、ポリカーボネート、ポリスルホン、アモルファスポリエチレンテレフタレート、結晶ポリエチレンテレフタレート、ＰＣＶ、ポリクロロトリフルオロエチレン、ポリアクリロニトリルホモポリマー、ポリアクリロニトリルコポリマー、ポリアセタールまたはポリアセタールコポリマーを含むか、またはホイル、板紙、ガラス、高密度ポリエチレンポリプロピレン、ポリスチレンまたは耐衝撃性ポリスチレン、発泡ポリスチレン、アクリルホモポリマー、アクリルコポリマー、ポリカーボネート、ポリスルホン、アモルファスポリエチレンテレフタレート、結晶ポリエチレンテレフタレート、ＰＣＶ、ポリクロロトリフルオロエチレン、ポリアクリロニトリルホモポリマー、ポリアクリロニトリルコポリマー、ポリアセタールまたはポリアセタールコポリマーから製造された多層構造体。
11.前記第３の層を更に含む、または該層から製造された上記１０に記載の多層構造体。
12.パッケージまたは容器用の蓋材料としての上記１０または１１に記載の多層構造体の使用。
13.上記１〜９のいずれか一項に記載の組成物または上記１０または１１に記載の多層構造体を含むか、または該組成物または該多層構造体から製造されたパッケージまたは容器。
14.前記第２の層が、ポリクロロトリフルオロエチレンフルオロポリマーを含む上記１３に記載のパッケージまたは容器。
15.ブリスターパッケージ、パウチ、成形、プレスまたは熱成形容器である上記１３または１４に記載のパッケージまたは容器。